(57)【要約】【課題】            １１０ＷやＨｆ８６Ｗなどの２ｍ以上の直管ランプ３とこの直管ランプ３を覆うランプチューブ７を搭載する照明器具１に、安定した状態で直管ランプ３を取り付ける。【解決手段】        直管ランプ３を覆い直列に複数設けられた筒状のランプチューブ７と、弾性を有する筒状をなし、外径側の両端にランプチューブ７の挿入位置を決めるランプチューブ端部位置決め用リブ８ｃ、内側に配列し直管ランプ３と接触して支持する内側リブ８ｄ、ランプチューブ端部位置決め用リブ８ｃの間に設けられるランプホルダー受け部８ｂを有し、ランプチューブ７間を連結固定する連結用パッキン８と、ランプホルダー受け部８ｂに対応する位置に設けられ、連結用パッキン８の外径側から挟み込んで、ランプチューブ７と直管ランプ３を一体的に保持するランプホルダー６を備え、ランプチューブ７を直管ランプ３に覆った状態で、直管ランプ３を安定させて照明器具１に取り付ける。【選択図】          図２
2010244938.tif 000002
【特許請求の範囲】
【請求項１】
直管ランプを覆い直列に複数設けられた筒状のランプチューブと、
弾性を有する筒状をなし、外径側の両端に前記ランプチューブの挿入位置を決める２つのランプチューブ端部位置決め用リブ、内側に配列し前記直管ランプと接触して支持する内側リブ、前記２つのランプチューブ端部位置決め用リブの間に設けられるランプホルダー受け部を有し、前記ランプチューブ間を連結固定する連結用パッキンと、
前記ランプホルダー受け部に対応する位置に設けられ、前記連結用パッキンの外径側から挟み込んで、前記ランプチューブと前記直管ランプを一体的に保持するランプホルダーと、
を備えたことを特徴とする照明器具。
【請求項２】
前記連結用パッキンは、内側かつ前記直管ランプの長手方向に前記直管ランプの外径と接触する複数の内側リブを設けることを特徴とする請求項１記載の照明器具。
【請求項３】
前記内側リブは、前記直管ランプを前記ランプチューブに挿入する際には前記直管ランプの外径との摩擦抵抗を減少させ、かつ、前記直管ランプを前記ランプホルダーに固定する際には前記直管ランプの外径を固定することを特徴とする請求項２記載の照明器具。
【請求項４】
複数の前記内側リブは、前記連結用パッキンを介した複数の前記ランプチューブ内の空気の流動性を確保する空間を有するように、互いに離れて前記連結用パッキンの内側に配置されることを特徴とする請求項１〜３のいずれかに記載の照明器具。
【請求項５】
複数の前記ランプチューブは、略同一の長さであることを特徴とする請求項１〜４のいずれかに記載の照明器具。
【請求項６】
略同一の長さの２つのランプチューブと、
前記直管ランプの長手方向の中心の位置に設けられるランプホルダーと、
を備えることを特徴とする請求項１〜４のいずれかに記載の照明器具。
【発明の詳細な説明】
【技術分野】
【０００１】
本発明は、照明器具にランプチューブを使用する技術に関するものである。
【背景技術】
【０００２】
蛍光灯などの直管ランプを保温したり、紫外線などの特定の周波数の波長の光をカットしたりするため、透光性チューブで直管ランプを覆う技術がある。
この透光性チューブをランプに保持するためには、ゴムパッキンや樹脂キャップなどが用いられている。（例えば、特許文献１参照。）
また、照明器具に直管ランプを取付ける構造には、例えば、突き当て式ソケット、回転式ソケットなど、様々な形状のものがある。
【先行技術文献】
【特許文献】
【０００３】
【特許文献１】特開２００５−２６０２５号公報（段落「００２６」〜段落「００２８」、図５参照。）
【発明の概要】
【発明が解決しようとする課題】
【０００４】
照明器具において、１１０ＷやＨｆ８６Ｗなどの２ｍ以上の長さの直管ランプを搭載するものは、直管ランプの長手方向の中心に、直管ランプを保持するランプホルダーがある。これらの直管ランプに透光性のランプチューブを被せた際、ランプホルダーはランプチューブの外径を保持することになり、直管ランプ自体が保持されず、不安定な取付状態となる。
【０００５】
この発明は、例えば、上記のような課題を解決するためになされたものであり、分割されたランプチューブを連結し、照明器具のランプホルダーを受け、直管ランプとランプチューブとを一体的に照明器具に固定することで、照明器具の安定した取付状態を維持できるようにすることを目的とする。
【課題を解決するための手段】
【０００６】
本発明にかかわる照明器具は、直管ランプを覆い直列に複数設けられた筒状のランプチューブと、弾性を有する筒状をなし、外径側の両端に前記ランプチューブの挿入位置を決める２つのランプチューブ端部位置決め用リブ、内側に配列し前記直管ランプと接触して支持する内側リブ、前記２つのランプチューブ端部位置決め用リブの間に設けられるランプホルダー受け部を有し、前記ランプチューブ間を連結固定する連結用パッキンと、前記ランプホルダー受け部に対応する位置に設けられ、前記連結用パッキンの外径側から挟み込んで、前記ランプチューブと前記直管ランプを一体的に保持するランプホルダーと、を備えたものである。
【発明の効果】
【０００７】
本発明によれば、ランプチューブを直管ランプに覆った状態で、直管ランプを安定させて照明器具に取り付けることができる。
【図面の簡単な説明】
【０００８】
【図１】本発明における実施の形態１における照明器具を示す斜視図である。
【図２】本発明における実施の形態１における照明器具を示す拡大斜視図である。
【図３】本発明における実施の形態１における連結用パッキンを示す斜視図である。
【図４】本発明における実施の形態１におけるランプチューブユニットを示す端部断面図である。
【図５】本発明における実施の形態１におけるランプチューブユニットを示す中央部断面図である。
【図６】本発明における実施の形態１における照明器具を示す中央部断面図である。
【図７】本発明における実施の形態１における他の照明器具を示す中央部断面図である。
【図８】本発明における実施の形態１における他の連結用パッキンを示す断面図である。
【発明を実施するための形態】
【０００９】
実施の形態１．
実施の形態１について、図１〜図６を用いて説明する。
【００１０】
図１は、この実施の形態における照明器具の全体構成を示す図である。
図２は、図１に示す照明器具のＡ部を拡大した拡大斜視図である。
【００１１】
照明器具１は、器具本体２と、器具本体２に取り付けられ直管ランプ３（直管型蛍光ランプ）が着脱可能に取り付けられるソケット４と、直管ランプ３を覆うように装着されるランプチューブユニット５と、器具本体２の長手方向の略中央部に備えられ、ランプチューブユニット５を固定するランプホルダー６を備える。
【００１２】
この照明器具１は、主に屋内の天井面、壁面、照明器具取付け用金具に取り付けられる。また、屋外の軒下、壁面等に取り付けられる場合もある。
【００１３】
ランプチューブユニット５は、２本のランプチューブ７と、２本のランプチューブ７の一端側を連結する連結用パッキン８と、それぞれのランプチューブ７の他端側に装着される端部用パッキン９を備える。
【００１４】
この２本のランプチューブ７は、直管ランプ３の端部側を端部用パッキン９にて直管ランプ３に固定され、もう片側を連結用パッキン８にて直管ランプ３に固定される。連結用パッキン８は２本のランプチューブ７を連結し、かつランプチューブ７と直管ランプ３を固定する。
【００１５】
ランプチューブ７が固定された直管ランプ３は、照明器具１のソケット４に取付けられ、照明器具１のほぼ中心に配置されたランプホルダー３にて、連結用パッキン８を固定することにより、ランプチューブ７と直管ランプ３は照明器具１に固定される。
【００１６】
ランプホルダー６は、Ｌ字状に折り曲げられて形成され、一端側に連結用パッキン８を挟み込む連結用パッキン挟み部１０を有し、他端側に器具本体２に取り付けられる係止部１１を有する。
【００１７】
連結用パッキン挟み部１０は、第１の挟み爪１０ａと、第２の挟み爪１０ｂを備え、第１の挟み爪１０ａと第２の挟み爪１０ｂによって、連結用パッキン８を挟み込み、ランプチューブユニット５を固定する。
【００１８】
係止部１１は、第１の係止爪１１ａと、第２の係止爪１１ｂを備え、第１の係止爪１１ａと第２の係止爪１１ｂが器具本体２の取付穴に挿入され、第１の係止爪１１ａと第２の係止爪１１ｂが器具本体２の板金を挟んで、器具本体２にランプホルダー６が固定されている。
【００１９】
図３は、本実施の形態における連結用パッキンを示す斜視図である。
連結用パッキン８は、両端部が開口する筒状をなしている。
連結用パッキン８の外周は、両端にランプチューブ挿入部８ａ、中央にランプホルダー受け部８ｂ、ランプチューブ挿入部８ａとランプホルダー受け部８ｂとの間にランプチューブ端部位置決め用リブ８ｃを有する。
連結用パッキン８の内周は、三角形状の内側リブ８ｄが長手方向に８箇所配置される。
【００２０】
図４は、本実施の形態におけるランプチューブユニットの端部の断面図である。
直管ランプ３は、ガラス部３ａの両端に備えられる口金部３ｂと、口金部３ｂに取り付けられる口金ピン３ｃと、口金ピン３ｃと電気的に接続されているフィラメント３ｄを備えている。
【００２１】
ランプチューブ７は、端部用パッキン９のランプチューブ挿入部９ａと位置決めリブ９ｂによって固定される。ランプチューブ挿入部９ａは１５ｍｍ程度で、先端を面取りすることにより、直管ランプ３の発光面を確保しつつ、安定した取付け状態が得られ、また、取付け、取外しの作業性がよい。
【００２２】
ランプチューブ７は、例えば、ポリカーボネート製で、直管ランプ３から照射される、虫の好む紫外線を透過せず、虫を寄せ付けにくい効果を有する。
【００２３】
図５は、本実施の形態におけるランプチューブユニットの中央部の断面図である。
連結用パッキン８の外面にあるランプチューブ端部位置決め用リブ８ｃにより、ランプチューブ７の端部を取付け、固定する。
【００２４】
連結用パッキン８のランプチューブ挿入部８ａの長さを１５ｍｍ程度とすると、直管ランプ３の発光面を確保（連結用パッキン８による遮光量が少ない）しつつ、安定した取付け状態が得られ、また、取付け、取外しの作業性がよい。
【００２５】
また、ランプチューブ挿入部８ａの先端部分を面取りすることによって、ランプチューブ７を取り付ける作業性がよくなる。
【００２６】
ランプチューブ７を直管ランプ３に取付ける手順は、例えば以下の通りである。
【００２７】
まず、直管ランプ３の長手方向の中心に連結用パッキン８を取付ける。
【００２８】
次に、ランプチューブ７の片側の端部に、端部用パッキン６を取付ける。
【００２９】
次に、ランプチューブ７の、端部用パッキン９の取付けられていない側から、連結用パッキン８の取付けられた直管ランプ３を挿入する。
【００３０】
次に、連結用パッキン８にて、ランプチューブ７の端部を取付ける。
【００３１】
同様に、端部用パッキン９の取付けられたランプチューブ７の端部用パッキン９の取付けられていない側から、既に片側にランプチューブ７の取付けられた直管ランプ３を挿入する。
【００３２】
最後に、連結用パッキン８にて、２本のランプチューブ７を取付ける。
【００３３】
ランプチューブ７を取付けた直管ランプ３を、照明器具１に取付ける手順は、例えば以下の通りである。
まず、直管ランプ３を照明器具１のソケット４に取付ける。
【００３４】
最後に、連結用パッキン８のランプホルダー受け部８ｂに、照明器具１のランプホルダー６を取り付ける。
【００３５】
連結用パッキン８の外面に、ランプホルダー６を取付けるランプホルダー受け部８ｂを設ける。ランプチューブ端部位置決め用リブ８ｃは、ランプホルダー６を取付ける際の位置決めとして機能し、ランプホルダー６が、ランプチューブ端部位置決め用リブ８ｃに取り付けられたとき、連結用パッキン８および直管ランプ３は、安定して固定される。
【００３６】
連結用パッキン８の材質は、取付け性および照明器具１の使用時の振動対策を踏まえ、シリコンゴムの硬度５０程度が最適である。照明器具１の振動が、ランプホルダー６から伝わった際に、内側リブ８ｄにより振動を吸収し、直管ランプ３が振動するのを和らげることができる。
【００３７】
連結用パッキン８に弾性のあるシリコンゴムを使用することで、複数箇所の内側リブ８ｄの先端と直管ランプ３の外径にて摩擦抵抗が生じ、確実な固定ができる。
【００３８】
図６は、実施の形態１における照明器具を示す断面図である。
連結用パッキン８は、連結用パッキン８の内側かつ長手方向に、内側リブ８ｄを８箇所備えている。
【００３９】
この内側リブ８ｄは、ランプホルダー６に連結用パッキン８が固定されるとき、連結用パッキン８のランプホルダー受け部８ｂに加わる力によって、直管ランプ３を固定する。
【００４０】
連結用パッキン８の長手方向に配置されている内側リブ８ｄにより、直管ランプ３を取付ける時の挿入方向の摩擦抵抗を減少させ、直管ランプ３を挿入しやすくする。
【００４１】
ランプチューブユニット５が装着された直管ランプ３をソケット４およびランプホルダー６に取り付けた後は、複数箇所の内側リブ８ｄの直管ランプ３の外径との接点により直管ランプ３を安定して固定する。
【００４２】
連結用パッキン８の内側リブ８ｄの形状は、直管ランプ３の取付性を考慮すると、三角形形状にするのが望ましいが、台形形状であってもよいし、四角形形状や半円弧形状であってもよい。
【００４３】
連結用パッキン８の複数の内側リブ８ｄは、直管ランプ３の長手方向に、等間隔で８箇所配置され、互いの内側リブ８ｄの間の空間ができ、空気の流動性を確保することができる。
【００４４】
したがって、２本のランプチューブ７によって覆われた直管ランプ３の周囲温度をほぼ一定に保つことができ、直管ランプ３の安定した光束を得ることができる。
【００４５】
このように、連結用パッキン８の内側に内側リブ８ｄを備えたので、直管ランプ３の安定した固定ができるとともに、空気の流動性を得ることができる。
【００４６】
照明器具１が、２本のランプチューブ７にて構成される際、ランプホルダー６が、照明器具１のセンターに位置している。連結用パッキン８は、ランプホルダー受け部８ｂでランプホルダー６を受けるため、２本のランプチューブ７は、同一の長さで構成できる。
【００４７】
前記同一の長さのランプチューブ７で構成できるため、ランプチューブ７の生産性の向上、及び誤梱包を回避することができる。
【００４８】
同一の長さであるため、複数のランプチューブ７で構成する場合に、取付け箇所の指定がなく、組立てが容易である。
【００４９】
なお、本実施の形態では、照明器具１に対して、２本のランプチューブ７を取り付けるように構成したが、２本を越える数のランプチューブ７を、複数の連結用パッキン８で取り付けた構成をとることができる。
【００５０】
また、複数の連結用パッキン８を複数のランプホルダー６にて固定する構成をとることができる。この場合、ランプホルダー６の照明器具１への配置間隔に合わせ、ランプチューブ７の長さを調節することで、安定した固定状態を得られる。
【００５１】
本実施の形態における内側リブ８ｄの数を変更した場合について説明する。
内側リブ８ｄの数について、図７を用いて、図６に示す連結用パッキン８と比較しながら説明する。
【００５２】
図７は、図６に示す連結用パッキン２の直管ランプ３を取付ける内側リブ８ｄの数を変更したものであり、図７（ａ）は、内側リブ８ｄの数を３個とした場合、図７（ｂ）は、内側リブ８ｄの数を１６個とした場合のものである。
【００５３】
なお、図７（ａ）、図７（ｂ）に示す連結用パッキン８は、図６に示す連結用パッキン８と同じ機能を有する。
【００５４】
図７（ａ）のように、直管ランプ３を固定するには、最低３箇所の内側リブ８ｄがあれば可能である。図６に示す連結用パッキン８は、内側リブ８ｄが８箇所であるのに対し、３箇所となっており、直管ランプ３をランプチューブ７及び連結用パッキン８に挿入する際、直管ランプ３と内側リブ８ｄとの接触量が少ないので、摩擦抵抗が小さく直管ランプ３を挿入し易い。
【００５５】
しかしながら、ランプホルダー６を連結用パッキン８の外径に取付けると、内側リブ８ｄの間隔が広く、直管ランプ３の取付け状態の安定性が劣る。
【００５６】
図７（ｂ）のように、内側リブ８ｄを増やすことにより、図６に示す連結用パッキン８と比較して、直管ランプ３と、ランプホルダー６の安定した取付け状態を得られる。
【００５７】
しかしながら、図６に示す連結用パッキン８は、内側リブ８ｄが８箇所であるのに対し、１６箇所となっており、内側リブ８ｄの間隔が狭くなり、空気の流動性が減少する。
【００５８】
また、直管ランプ３と内側リブ８ｄの接触量が増すため、直管ランプ３をランプチューブ７及び連結用パッキン８に挿入する際、直管ランプ３の外径と内側リブ８ｄの摩擦抵抗が増加し、直管ランプ３が挿入し難くなる。
【００５９】
内側リブ８ｄの数を増減させて実験した結果、直管ランプ３の固定時の安定性と、直管ランプ３をランプチューブユニット５に取り付ける取付性（直管ランプ３を連結用パッキン８に挿入する挿入性）、およびランプチューブユニット５の内部の空気の流動性を保つには、内側リブ８ｄの数を６箇所から１０箇所としたときが良好な結果が得られ、８箇所が最適であった。
【００６０】
本実施の形態の連結用パッキンの他の実施の形態について、図８を用いて説明する。
【００６１】
図８は、前述した連結用パッキン８の直管ランプ３を取付ける内側リブ８ｄの形状を変更したものである。
【００６２】
連結用パッキン８’は、内側に斜め方向の内側リブ８ｅを備えている。
【００６３】
このように、連結用パッキン８’に備える内側リブ８ｅを直線状ではなく、斜方向とすることにより、空気の流動性を確保しつつ、ランプホルダー６の取付けの際、連結用パッキン８’の筒状形状中心部へ加わる力に対して、より強度を得ることができる。
【符号の説明】
【００６４】
１  照明器具、２  器具本体、３  直管ランプ、３ａ  ガラス部、３ｂ  口金部、３ｃ  口金ピン、３ｄ  フィラメント、４  ソケット、５  ランプチューブユニット、６  ランプホルダー、７  ランプチューブ、８、８’  連結用パッキン、８ａ  ランプチューブ挿入部、８ｂ  ランプホルダー受け部、８ｃ  ランプチューブ端部位置決め用リブ、８ｄ、８ｅ  内側リブ、９  端部用パッキン、９ａ  ランプチューブ挿入部、９ｂ  位置決めリブ、９ｃ  口金押え部、１０  連結用パッキン挟み部、１０ａ  第１の挟み爪、１０ｂ  第２の挟み爪、１１  係止部、１１ａ  第１の係止爪、１１ｂ  第２の係止爪。
【図１】
2010244938.tif 000003
【図２】
2010244938.tif 000004
【図３】
2010244938.tif 000005
【図４】
2010244938.tif 000006
【図５】
2010244938.tif 000007
【図６】
2010244938.tif 000008
【図７】
2010244938.tif 000009
【図８】
2010244938.tif 000010